(57)【要約】【課題】  流し台での作業スペースやキャビネット内収納スペースを圧迫することなく、しかも、交換性が良好でカートリッジ寿命も長く設定できるビルトイン型の浄水装置を提供する。【解決手段】  シンクを形成した天板と、この天板の下方に前扉あるいは引出を有する収納キャビネットを備えた流し台に設けられた浄水装置であって、この浄水装置は、水道水を浄化し浄水を生成する浄化ユニットを前記収納キャビネット内に配置し、前記浄水を吐水する水栓を天板に設け、前記浄水ユニットを前記収納キャビネット内の前記シンク前側と前記前扉の間隙、あるいは、前記シンク前側と前記引出の前面パネルとの間隙に設け、前記浄水ユニットと前記水栓を接続管にて接続したことを特徴とする浄水装置。【選択図】  図１
2007144363.tif 000002
【特許請求の範囲】
【請求項１】
シンクを形成した天板と、この天板の下方に前扉あるいは引出を有する収納キャビネットを備えた流し台に設けられた浄水装置であって、
この浄水装置は、水道水を浄化し浄水を生成する浄化ユニットを前記収納キャビネット内に配置し、前記浄水を吐水する水栓を天板に設け、前記浄水ユニットを前記収納キャビネット内の前記シンク前側と前記前扉の間隙、あるいは、前記シンク前側と前記引出の前面パネルとの間隙に設け、前記浄水ユニットと前記水栓を接続管にて接続したことを特徴とする浄水装置。
【請求項２】
前記浄水ユニットは、水道水を浄化する浄水カートリッジと、前記浄水カートリッジの上流側に設置され水道水が流入される流入口部と、前記浄水カートリッジの下流側に設置され浄水が流出される流出口部を備え、
前記浄水カートリッジは、前記流入口部と前記流出口部に対して回動自在に接続された流路ユニットと、この流路ユニットの回転軸に直交するように接続される浄化剤を収納した容器を備えたことを特徴とする請求項１記載の浄水装置。
【請求項３】
前記浄水ユニットには、前記流入口部から流入される水道水に対して、前記容器が、直列または並列に複数接続され、複数の容器が夫々単独で前記流路ユニットから着脱可能としたことを特徴とするは請求項２記載の浄水装置。
【請求項４】
前記浄水ユニットで浄化された浄水をさらに電気分解してアルカリ水または酸性水を生成する電解ユニットが、前記浄水ユニットの下流側に接続されると共に、前記浄水ユニットと前記電解ユニットが接続された状態で前記間隙に収納され、前記電解ユニットと前記水栓が接続管で接続されたことを特徴とする請求項２または請求項３に記載の浄水装置。
【発明の詳細な説明】
【技術分野】
【０００１】
本発明は、キッチン等の流し台に設置される浄水装置に関する発明である。 
【背景技術】
【０００２】
水道水中の不純物を浄水カートリッジで除去し、使用者に清浄な水（以下、浄水と呼ぶ）を提供する浄水装置は、その設置形態により卓上型とビルトイン型あるいは、水栓一体型の形態に大別される。
卓上型の浄水装置は流し台の天板上に設置されるもので、その設置方法は既設の水栓の本体に分岐金具を設け、この分岐金具からホース等により導出された水道水を浄水装置の浄水カートリッジにて浄水を生成し、分岐金具を介して既設の水栓または浄水装置に設けられた吐水口から浄水を吐水するものである。
ビルトイン型の浄水装置は浄水のみを吐水する専用の水栓を使用し、浄水装置は流し台のキャビネット内に設置されるものである。そして、流し台のキャビネット内にある給水管に分岐管を取り付け、分岐管と浄水装置、浄水装置と専用の水栓をホース等で接続して使用する。ビルトイン型は流し台との一体感や天板部上のスッキリ感を求める使用者からの支持が高い（特許文献１参照）。
また、水栓一体型の浄水装置は水栓の吐水管内部に小型浄水カートリッジを内包したものである（特許文献２参照）。このタイプは、水栓の操作部を操作すると水道水が小型浄水カートリッジを通過して吐水口から浄水が吐水される。
【０００３】
清浄な水の要求から、急速に普及している浄水装置であるが、浄水カートリッジの設置により、台所の作業スペースが圧迫されること、浄水カートリッジの定期的な交換が面倒であるといった問題点がある。先に述べた３つの形態においても、浄水カートリッジの設置性と交換性には一長一短がある。
卓上型の浄水装置では、流し台の天板部に浄水装置が設けられているため浄水カートリッジの交換性は良好であるが、浄水装置が台所の作業スペースを占有し圧迫するという問題点がある。
ビルトイン型の浄水装置では、浄水装置をキャビネット内に設置するため、台所の作業スペースは確保されるが、キャビネット内の収納スペースを圧迫することになる。特に、近年主流となっている引出式キャビネットには、浄水装置の設置スペースが確保できない場合もある。また、キャビネット内の浄水装置の浄水カートリッジは、交換に際しては、キャビネット内に潜り込まなければならず、交換性が悪い。
水栓一体型の浄水装置は、吐水管内部に浄水カートリッジを内包しているため、浄水カートリッジ交換性も良く、台所作業スペースやキャビネット内収納スペースも圧迫しないため、設置性は良いが、浄水カートリッジが小型で寿命（浄水化する能力）が短くなり、卓上型やビルトイン型に比べると浄水カートリッジの交換頻度が多くなるといった問題点がある。
また、浄水カートリッジで水を清浄にするだけでなく、水を電気分解して、アルカリイオン水を生成するアルカリイオン水生成器等、水を改質する装置についても浄水装置と同様の問題点がある。
【０００４】
【特許文献１】特開２００１−３００５３４号
【特許文献２】特開２００１−１７３４２号
【発明の開示】
【発明が解決しようとする課題】
【０００５】
本発明は、上記問題を解決するためになされたもので、本発明の課題は、流し台での作業スペースやキャビネット内収納スペースを圧迫することなく、しかも、交換性が良好でカートリッジ寿命も長く設定できるビルトイン型の浄水装置を提供することを目的としている。
【課題を解決するための手段】
【０００６】
請求項１記載の発明は、シンクを形成した天板と、この天板の下方に前扉あるいは引出を有する収納キャビネットを備えた流し台に設けられた浄水装置であって、
この浄水装置は、水道水を浄化し浄水を生成する浄化ユニットを前記収納キャビネット内に配置し、前記浄水を吐水する水栓を天板に設け、前記浄水ユニットを前記収納キャビネット内の前記シンク前側と前記前扉の間隙、あるいは、前記シンク前側と前記引出の前面パネルとの間隙に設け、前記浄水ユニットと前記水栓を接続管にて接続したことを特徴とする。
【０００７】
これにより、浄水ユニットを前記収納キャビネット内のシンク前側と前扉の間隙、あるいは、シンク前側と引出の前面パネルとの間隙に設置されるので、キャビネットの収納スペースを圧迫することなく、ビルトイン型の浄水装置を設置できるという効果がある。
【０００８】
請求項２記載の発明は、前記浄水ユニットは、水道水を浄化する浄水カートリッジと、前記浄水カートリッジの上流側に設置され水道水が流入される流入口部と、前記浄水カートリッジの下流側に設置され浄水が流出される流出口部を備え、
前記浄水カートリッジは、前記流入口部と前記流出口部に対して回動自在に接続された流路ユニットと、この流路ユニットの回転軸に直交するように接続される浄化剤を収納した容器を備えたことを特徴とする。
【０００９】
これにより、前記間隙に設置された容器を交換する際、流路ユニットを流入口部と流出口部対し回転させる事により、前記浄水カートリッジを前記間隙から、開放された使用者の前面に向かわせる事で、前記浄水カートリッジの交換性を良くすることができる。
【００１０】
請求項３記載の発明は、前記浄水ユニットには、前記流入口部から流入される水道水に対して、前記容器が、直列または並列に複数接続され、複数の容器が夫々単独で前記流路ユニットから着脱可能としたことを特徴とする。
【００１１】
前記浄水ユニットには、前記流入口部から流入される水道水に対して、前記容器が、直列に複数接続され、複数の容器が夫々単独で前記流路ユニットから着脱可能とした場合、異なる処理能力を具備した複数容器を、使用者の好みや水質の状態にするようにレイアウトすることができ、使用者の選択する幅が広がる。
前記浄水ユニットには、前記流入口部から流入される水道水に対して、前記容器が、並列に複数接続され、複数の容器が夫々単独で前記流路ユニットから着脱可能とした場合、同一の種類の浄化剤を含む容器を複数個設けることで、１本当りの浄化する処理水量を軽減することができる為、浄化剤の高寿命化を図ることができる。
【００１２】
請求項４記載の発明は、前記浄水ユニットで浄化された浄水をさらに電気分解してアルカリ水または酸性水を生成する電解ユニットが、前記浄水ユニットの下流側に接続されると共に、前記浄水ユニットと前記電解ユニットが前記間隙に収納され、前記電解ユニットと前記水栓が接続されたことを特徴とする。
【００１３】
これにより、水道水を浄化するだけでなく、さらに電気分解してアルカリイオン水または酸性水を生成する電解ユニットを前記収納キャビネット内のシンク前側と前扉の間隙、あるいは、シンク前側と引出の前面パネルとの間隙に設置されるので、キャビネットの収納スペースを圧迫することなく、ビルトイン型電解ユニットを設置できるという効果がある。
【発明の効果】
【００１４】
本発明は、流し台での作業スペースやキャビネット内の収納スペースを圧迫することなく、しかも、交換性が良好で浄水カートリッジ寿命も長く設定できるビルトイン型の浄水装置を提供することができる。
【発明を実施するための最良の形態】
【００１５】
以下、この発明の浄水装置の実施形態を図面に基づいて詳細に説明する。
【００１６】
図１は本発明の第一実施形態における浄水装置を取り付けた流し台の一部を示した外観斜視図、図２は本発明の第一実施形態における浄水装置を流し台に取り付けた状態を示した流し台の断面側面図を、図３は本発明の浄水ユニットで浄水カートリッジが収容された状態を示した斜視図、図４は本発明の浄水ユニットで容器が直列に配列された浄水カートリッジ内の水の流れを示した概念図、図５は本発明の浄水カートリッジで容器内の水の流れを示した状態図、図６は本発明の浄水カートリッジを交換する時の容器の状態を示した外観斜視図、図７は本発明の浄水ユニットで容器が並列に配列された浄水カートリッジ内の水の流れを示した概念図である。
【００１７】
本発明の第一実施形態における浄水装置１及び浄水装置１が設置された流し台１０について説明する。
図１、図２に示すように本発明の浄水装置１を備える流し台１０は、凹形状を有するシンク１１を有する天板１２と、天板１２及びシンク１１の下方には小物、器具類を収納するための収納キャビネット１３が設けられ、シンク１１の奥側の立面には浄水を吐止水する水栓３０が設けられている。
【００１８】
収納キャビネット１３には、流し台１０の前後方向に出し入れが可能で料理器具などを収納するための上段引出１４、中段引出１５、下段引出１６が備えられている。そして夫々の引出の前面には前面パネル１７が取り付けられている。
上段引出１４には、菜箸や杓文字等、台所作業に係る比較的厚みのない器具が収納され、中段引出１５、下段引出１６には比較的大きな器具が収納されるような形状になっている。
【００１９】
水栓３０は水道水が吐水される第一スパウト３１と、水道水を浄化した浄水が吐水される第二スパウト３２と、これらに隣接するように水道水の温度調整、流量調整を行う第一操作部３３と、浄水の吐止水を操作する第二操作部３４と、水道水、浄水を吐止水するための開閉弁（図示しない）等を備えた水栓本体３５で構成されている。
【００２０】
図２に示すように各引出と収納キャビネット１３の奥の壁面との間には水廻り設備を設置するための空間が設けられている。そして、この空間の床面（図示しない）あるいは収納キャビネット１３の奥の壁面１８から水道水を水栓本体３５に供給する給水管３６、給湯管（図示しない）が設けられている。また、シンク１１で使用した水を排水する排水管１９もこの空間に配置されている。
【００２１】
シンク１１の前側と上段引出１４の前面パネル１７の間には、一般的に幅が８５０〜９００ｍｍ、高さが１３０〜１５０ｍｍ、奥行きが４０〜５０ｍｍの間隙２０が設けられている。そして、この間隙２０に後述する浄水装置１の浄水ユニット４０を配置する。
また、シンク１１の裏側面には水栓本体３５から浄水ユニット４０に接続される第二給水管３７及び浄水ユニット４０から第二スパウト３２に接続される接続管である浄水管３８が配置されている。
【００２２】
図６に示すように、浄水ユニット４０は水道水を浄化する浄水カートリッジ４１と、浄水カートリッジ４１の上流側に流入口部となる流入口継手４２と、浄水カートリッジ４１の下流側に流出口部となる流出口継手４３と、これらを収容する収納ケース４７で構成されている。
さらに、第一実施形態では後述する流出口継手４３に第二給水管３７と接続するように構成したために流出口継手４３と流入口継手４２の間に第三給水管４６が設けられ、この第三給水管４６も収納ケース４７内に収められている。
【００２３】
前記浄水カートリッジ４１は、流入口継手４２と流出口継手４３に対して回動自在に接続された流路ユニット４４と、流路ユニット４４の回転軸に直交するように接続される浄化剤４８を収納した容器４５構成されている。
浄化剤４８は、水道水を浄化して浄水を生成する。
容器４５は、耐水性のあるＡＢＳ樹脂等を用いて略円柱状に形成されており、一方の端面は後述する流路ユニット４４に接続するための接続部（図示しない）が設けられている。図５に示すように、容器４５の内部には浄化剤４８を封入する封入部５０と浄化された水が流出する流出路５１が封入部５０の外周に設けられている。
そして、図３に示すように、カートリッジＡ、活性炭カートリッジＢ、中空糸膜カートリッジＣが作られ、浄水カートリッジ４１を構成することになる。
【００２４】
流路ユニット４４は図３〜図５に示すように、浄水カートリッジ４１の流路を形成するもので、その外観は略蒲鉾形状で上流側の端部には流入部４４ａ、下流側には流出部４４ｂが設けられている。また、流路ユニット４４の内部には、前述の鉛吸着材カートリッジＡ、活性炭カートリッジＢ、中空糸膜カートリッジＣは、流入口継手４２から流入される水道水に対して、直列に配置されるように流路４４ｃが形成されている。そして、流路４４ｃの途中には鉛吸着材カートリッジＡ、活性炭カートリッジＢ、中空糸膜カートリッジＣの夫々と接続できるように接続口４４ｄが３箇所設けられている。
ここで、夫々の接続口４４ｄの近傍には容器４５を取り外した際に流路ユニット４４内の水が漏出するのを防ぐために弁体及びばね（何れも図示しない）を設けることが好ましい。
【００２５】
流入口継手４２は、浄水カートリッジ４１を構成する流路ユニット４４の流入部４４ａと第三給水管４６を接続するもので、樹脂または黄銅等の金属で成形された略Ｌ字形状に形成されている。（図３）
【００２６】
流出口継手４３は、浄水カートリッジ４１を構成する流路ユニット４４の流出部４４ｂと浄水管３８を接続するとともに、第二給水管３７と第三給水管４６を接続するようにしたもので、樹脂または黄銅等の金属で略直方体形状に形成されている。（図３）
【００２７】
第三給水管４６は、銅管を略コの字状に曲げ加工されたものを使用し、夫々の端部には水密性を保つためのＯリング（図示しない）が取り付けられている。尚、銅管以外にも樹脂などで成形された樹脂管を接続して略コの字状に組み立ててもよい。（図３）
【００２８】
第二給水管３７、浄水管３８は施工性の容易化、衛生性を考慮してシリコンホースを所定の長さに切って使用する。
【００２９】
収納ケース４７は図３、図６に示すように、浄水カートリッジ４１、流入口継手４２、流出口継手４３、第三給水管４６を収納するもので、流入口継手４２と流出口継手４３あるいは第三給水管４６が取り付く基体ケース５２と、浄水カートリッジ４１と流入口継手４２と流出口継手４３を覆い隠すカバー５３で構成され、カバー５３が基体ケース５２に取り付いている状態で外観は略直方体に形成されている。
また、基体ケース５２とカバー５３の同一側面には第二給水管３７及び浄水管３８が挿入される切欠き部５４が設けられている。
【００３０】
上記部品で構成された浄水ユニット４０は、次のようにして組み立てられる。
まず、夫々の容器４５の封入部５０に鉛吸着材４８ａ、活性炭４８ｂ、中空糸膜４８ｃを封入して鉛吸着材カートリッジＡ、活性炭カートリッジＢ、中空糸膜カートリッジＣ、を作る。
そして、流路ユニット４４の接続口４４ｄに上流側から鉛吸着材カートリッジＡ、活性炭カートリッジＢ、中空糸膜カートリッジＣと配列し、流入口継手４２から流入される水道水に対して、直列に配置されることになる。このような配置にすることで水道水中の不純物を効率よく除去することができる。
ここで、容器４５は封入する浄化剤の種類によって異なる色に着色してあることが好ましい。これによって、使用者が浄水カートリッジ４１を交換する際、容器４５内の浄化剤４８を確認する必要がないので、容易に交換を行うことができる。また、浄化剤４８の順序を誤って交換することを防止することができる。
【００３１】
次に、上記のように組み立てられた浄水カートリッジ４１で流路ユニット４４の上流側の流入部４４ａに流入口継手４２を、下流側の流出部４４ｂに流出口継手４３を夫々挿入した後、流入口継手４２と流出口継手４３とを第三給水管４６にて接続する。
そして、流入口継手４２、流出口継手４３を収納ケース４７の基体ケース５２の所定位置に設置して、ビス（図示しない）などで基体ケース５２に固定する。
最後に基体ケース５２にカバー５３を取り付けて浄水ユニットが組み立てられる。
このようにすることで、浄水カートリッジ４１は流入口継手４２、流出口継手４３に対して回動自在に取り付けられることができ、ある程度の寿命を確保しつつ、容器４５の大きさを抑制でき、容器４５を容易に交換することができる。
【００３２】
次に浄水装置１の流し台１０への取り付け方法について説明する。
浄水ユニット４０は、天板１２の下部に取付けられたフレーム２１や、シンク幕板２２と浄水ユニット４０の固定用ブラケット２３を取付けることでシンク１１の前側と上段引出１４の間の間隙２０に設置される。（図２）
【００３３】
浄水ユニット４０は前述の様に、フレーム２１やシンク幕板２２に固定される構造である為、浄水ユニット４０の収納ケース４７の下部には補強配慮として、アジャスタ２４を配備している。
アジャスタ２４は浄水ユニット４０から後方へ伸縮自在であり、これを施工時、シンク１１の前面に押し当たる位置まで伸長し固定することで、浄水ユニット４０の前方からの荷重を支えることができる構造となっている。（図２）
【００３４】
尚、上段引出１４には、菜箸や杓文字等、台所作業に係る比較的厚みのない器具が収納されるが、上段引出１４を開閉する時に浄水ユニット４０と器具とが干渉することにより、浄水ユニット４０に損傷を与えないようにするために、浄水ユニット４０の下端はシンク１１の底面よりも上方に配置されている。これにより、シンク１１の底面に干渉せず、収納キャビネット１３から上段引出１４を開閉できた場合は、物理的に浄水ユニット４０にも干渉することがない。
【００３５】
そして、浄水ユニット４０を間隙２０に取り付けた後、水栓本体３５と浄水ユニット４０を第二給水管３７で接続し、浄水ユニット４０と第二スパウト３２を接続管である浄水管３８で接続する。このとき、第二給水管３７と浄水管３８は同一の方向に指向するように接続され、シンク１１の裏側面に沿うようなに配設している。これにより、第二給水管３７、浄水管３８の接続が容易になる。（図２）
尚、第二給水管３７、浄水管３８は予め浄水ユニット４０に接続した後、水栓本体３５、第二スパウト３２に接続してもかまわない。
【００３６】
次に、浄水を吐水するときの操作及び水の流れについて図４を用いて説明する。浄水を使用したい場合は、水栓３０の第二操作部３４を開く方向に操作すると、水栓本体３５の内部に内蔵された浄水用の開閉バルブ（図示しない）によって水道水が第一給水管３６から浄水用の開閉バルブ（図示しない）、第二給水管３７を通って浄水ユニット４０に流れ込む。
そして、水道水は一旦、流出口継手４３に流れ込み、第三給水管４６、流入口継手４２、流路ユニット４４内に入る。そして、鉛吸着材カートリッジＡ、活性炭カートリッジＢ、中空糸膜カートリッジＣを通って水道水中の不純物を取り除いて再度、流出口継手４３から浄水管３８を通って第二スパウト３２から吐水される。
尚、食器などを洗うために水道水を使用したい場合は、第一操作部３３を開く方向に操作すると、水栓本体３５の内部に内蔵された水道水用の開閉弁（図示しない）を通って水道水が第一スパウト３１から吐水される。
【００３７】
浄水カートリッジ４１は使用することにより、その浄化能力は低下するものである。浄化能力が低下した場合は、通常の水道水と同様になるため、そのときには容器４５毎交換する必要がある。
【００３８】
浄水カートリッジ４１の容器４５を交換する場合は次のように行う。まず、上段引出１４を開いて浄水ユニット４１のカバー５３を取外して、浄水カートリッジ４１を手前側に回動させる。そうすると、流入口継手４２、流路ユニット４４、流出口継手４３を結ぶ軸が回転軸となって浄水カートリッジ４１、即ち流路ユニット４４と容器４５が手前側に回動する。（図６）
これによって、容器４５が基体ケース５２より手前に飛び出した状態となり、この状態で容器４５を回転させて流路ユニット４４から取り外すことができる。このとき、流路ユニット４４内の弁体（図示しない）がばね（図示しない）の付勢力によって接続口（図示しない）を閉塞し、流路ユニット４４内に残存する水の漏出を防ぐことができる。
そして、容器４５を取り外した後は、新しい浄化剤４８を収納した容器４５を回転させて流路ユニット４４に接続する。このとき、容器４５が弁体を開いて通水できる状態となる。その後は、流路ユニット４４を奥側へ回動してカバー５３を基体ケース５２に取り付けて浄水カートリッジ４１の交換が終了する。
【００３９】
尚、第一実施形態では異なる種類の浄化剤４８を用いた浄水カートリッジ４１について、容器４５を流入口継手４２から流入される水道水に対して、直列に配置される例について説明したが、同一種類の浄化剤、例えば活性炭カートリッジ４８ｂを用いる場合は、流入口継手４２から流入される水道水に対して、並列に配置されるように構成するために、図７に示した流路ユニット４４内の流路４４ｃを夫々の容器４５が並列に配列されるように形成し、流路ユニット４４の接続口４４ｄに容器４５を接続するとよい。このようにすることで、夫々の活性炭カートリッジＢの寿命を長期化することができるとともに、寿命を均一化でき交換を一度に済ませることができる。各々の容器から浄化された浄水は、流出部４４ｂから浄水管３８へと流出される。
【００４０】
次に、第二実施形態として、水道水を浄化する浄水ユニット６０と、浄水ユニット６０の下流側に浄水を電気分解することによりアルカリ水や酸性水を生成する電解ユニット７０とを流し台１０の上段引出１４の前面パネル１７とシンク１１裏の前側との間隙２０に設ける場合について説明する。
図８は本発明の第二実施形態における浄水装置を取り付けた流し台の一部を示した外観斜視図、図９は本発明の第二実施形態における浄水装置を流し台に取り付けた状態を示した流し台の断面側面図を、図１０は本発明の第二実施形態における浄水ユニットの内部を示した斜視図、図１１は電解ユニット内部の構造を示した組立図、図１２は電解ユニットを操作する操作部の操作表示部を示した図、図１３は本発明の第二実施形態における浄水装置の構成を示したブロック図である。
【００４１】
第二実施形態における浄水ユニット６０は、図８、図９に示すように流し台１０のシンク１１と上段引出１４の間の間隙２０に取り付けられる。そして、この浄水ユニット６０に隣接するように電解ユニット７０が取り付けられる。そして、第二給水管３７、後述するアルカリ水管７６、酸性水管７８がシンク１１の裏側面を通るように配置される。
【００４２】
第二実施形態における浄水ユニット６０は、図１０に示すように収納ケース４７の内部に流入口継手６１と、鉛吸着材カートリッジＡ、活性炭カートリッジＢ、中空糸膜カートリッジＣが接続された流路ユニット４４と、流出口継手６２が収容されている。
そして、流路ユニット４４の両端には流入口継手４２と流出口継手４３が接続されている。流入口継手４２には第二給水管３７、流出口継手６２には浄水管３８が接続されおり、浄水管３８は後述する電解ユニット７０に接続されている。
第一実施形態の浄水ユニット６０と異なる点は流出口継手６２に第二給水管３７を接続する接続部（図示しない）がなく、また、流入口継手６１と流出口継手６２との間に第三給水管４６がない点で異なる。
【００４３】
図１１に示すように、電解ユニット７０は主に水を電気分解するための電極（図示しない）を内蔵した電解槽部７１と、使用者が操作する操作部７２と、アルカリ水、酸性水の生成を制御する制御部７３と、水道水にカルシウム等の添加物を収容する添加物収容部７４と、電解槽部７１とアルカリ水を吐水する第一スパウト７５を接続する接続管であるアルカリ水管７６、電解槽部７１と酸性水を吐水する第二スパウト７７を接続する酸性水管７８と、これらを収容する電解ユニットケース７９と、電解ユニットカバー８０で構成されている。
【００４４】
電解槽部７１は、その内部には流路（図示しない）が形成されて、任意の位置に電極（図示しない）が設けられている公知のものを使用している。この電極（図示しない）に電圧を印加することによりアルカリ水を生成するとともに、副産物として酸性水が生成される。
【００４５】
操作部７２は、使用者が所望するｐＨ濃度のアルカリ水や酸性水を生成するために操作するもので、主として制御部７３に信号を送信するための操作スイッチ８６と、操作スイッチ８６の内容を表示する操作表示シート８７と、浄水カートリッジ４１の交換時期をお知らせする交換ランプ８８で構成されている。
図１３に示すように操作表示シート８７にはアルカリ水の濃度を示したモードスイッチ８７ａ、モードＬＥＤ８７ｂが設けられており、使用者の使い勝手も良好な仕様となっている。
そして、操作表示シート８７はその各表示内容と操作スイッチ８６、交換ランプ８８の位置とが相対するように操作スイッチ８６上に貼り付けられている。
【００４６】
添加物収容部７４は略円筒形状をなした円筒部７４ａとキャップ７４ｂで構成されている。円筒部７４ｂにはカルシウム等が添加される空間（図示しない）が設けられている。また、側周面には浄水ユニット６０から延びる浄水管３８を接続するための接続部７４ｃ、電解槽部７１に延びる浄水管３８を接続するための接続部（図示しない）が設けられている。
さらに、カルシウム補給時にキャップ７４ｂを取り外すと、内部の水が円筒部７４ａから溢れ出すのを防止するために、円筒部７４ａの側周面で電解ユニットカバー８０側に位置する場所に水抜スイッチ８１を設けている。
カルシウムを添加する前に、水抜スイッチ８１を押すことで水抜口８２が開口し、円筒部７４ａより上部の溜り水が抜け、その後、円筒部７４ａを開口しても水が溢れないようになっている。水抜スイッチ８１は押下状態でのみ水抜口８２を開口し、閉め忘れによる漏水を防止する構造となっている。
【００４７】
浄水管３８、アルカリ水管７６、酸性水管７８は柔軟性を有するシリコンホースを用いている。
【００４８】
電解ユニットケース７９には略箱形状で各所に電解槽部７１、操作部７２、制御部７３、添加物収容部７４を固定できるよう固定部８３が設けられている。また、浄水管３８を所定の位置に固定できるように係止部８４が設けられている。
電解ユニットケース７９の下部には、上段引出１４の開閉に伴う、収納物の衝撃を緩衝する目的でゴム板（図示しない）を配備している。
【００４９】
電解ユニットカバー８０も電解ユニットケース７９と同様に略箱形状で、表面側の平面部８０ａの一部に平面部８０ａに対して傾斜角度が約４５°を有する凹部８５が設けられている。この傾斜部８５ａに操作部７２が位置するように電解ユニットケース７９に取り付けられる。
このように傾斜部８５ａに操作部７２が位置するように配置すると、使用者の流し台１０前に立つ位置から、モードスイッチ８７ａの操作性が良好で、モードＬＥＤ８７ｂの視認性も良いレイアウトとなっている。
【００５０】
上記のように構成された電解ユニット７０は、電解ユニットケース７９に上記の電解槽部７１、操作部７２、制御部７３、添加物収容部７４を所定の位置に固定し、浄水管３８を接続した後、電解ユニットカバー８０を電解ユニットケース７９に取り付ける。
そして、電解ユニット７０は前述の浄水ユニット６０と同様の方法で上段引出１４の前面パネル１７とシンク１１の間隙２０に取り付けることができる。その後、浄水ユニット６０と電解ユニット７０を浄水管３８で接続し、アルカリ水流出口（図示しない）と第一スパウト７５を接続管であるアルカリ水管７６で接続し、酸性水流出口（図示しない）と第二スパウト７７を酸性水管７８で接続する。（図１２）
【００５１】
次に、第二実施形態における浄水ユニット６０、電解ユニット７０による水の流れを説明する。
使用者が、浄水を使用したい場合は、モードスイッチ８７ａで清水の表示部を選んだ後、第一操作部６３を吐水する方向に操作する。そうすると、水道水が第一給水管３６、水栓本体３５、第二給水管３７を通って浄水ユニット６０に流れ込む。そして、浄水カートリッジ６１によって、水道水中の不純物を除去して浄水を生成した後、電解ユニット７０内の浄水管３８、アルカリ水管７６を通過して第一スパウト７５から浄水が吐水される。尚、電解ユニット７０には、浄水ユニット６０で浄化された浄水が通過するが、電気分解処理は行わないようになっている。
【００５２】
次に、アルカリ水を使用したい場合は、操作部７２のモードスイッチ８７ａで所望のｐＨ濃度の表示部を選んだ後、第一操作部６３を吐水する方向に操作すると、水道水が、浄水ユニット６０内に流れ込み、浄水カートリッジ４１によって水道水中の不純物が除去される。これによって生成された浄水は電解ユニット７０内に流れ込む。
電解ユニット７０では、浄水ユニット６０で生成された浄水を電解槽部７１で電気分解することでアルカリ水が生成され、第一スパウト７５よりアルカリ水を、副産物として第二スパウト７７より酸性水が吐水される。
【００５３】
また、酸性水を使用したい場合は、モードスイッチ８７ａで酸性の表示部を選んだ後、第一操作部６３を吐水する方向に操作すると、水道水が、浄水ユニット６０内に流れ込み、浄水カートリッジ４１によって水道水中の不純物が除去される。これによって生成された浄水は電解ユニット７０内に流れ込む。
電解ユニット７０では、浄水ユニット６０で生成された浄水を電解槽部７１で電気分解することで酸性水が生成され、第一スパウト７５より酸性水を、副産物として第二スパウト７７よりアルカリ水が吐水される。
【００５４】
尚、電解ユニット７０には流量センサ８９が浄水管３８の任意の位置に取り付けられていて、この流量センサによって浄水が通過する積算流量が算出されるようになっている。その積算流量が予め設定された流量に達すると、交換ランプ８８が点灯するようになっており、点灯により、使用者に浄水カートリッジ４１の交換をお知らせするようになっている。
第二実施形態における浄水カートリッジ４１の交換方法は第一実施形態と同様の方法で行うものである。
【００５５】
第一、第二実施形態では浄水カートリッジ４１で３つの容器４５を使用した例について説明したが、これに限定されることなく、一体で成形した容器４５を用いて流入口継手４２、流出口継手４３に取り付けても同様の効果を奏する。
【図面の簡単な説明】
【００５６】
【図１】本発明の第一実施形態における浄水装置を取り付けた流し台の一部を示した外観斜視図
【図２】本発明の第一実施形態における浄水装置を流し台に取り付けた状態を示した流し台の断面側面図
【図３】本発明の浄水ユニットで浄水カートリッジが収容された状態を示した斜視図
【図４】本発明の浄水ユニットで容器が直列に配列された浄水カートリッジ内の水の流れを示した概念図
【図５】本発明の浄水カートリッジで容器内の水の流れを示した状態図
【図６】本発明の浄水カートリッジを交換する時の容器の状態を示した外観斜視図
【図７】本発明の浄水ユニットで容器が並列に配列された浄水カートリッジ内の水の流れを示した概念図
【図８】本発明の第二実施形態における浄水装置を取り付けた流し台の一部を示した外観斜視図
【図９】本発明の第二実施形態における浄水装置を流し台に取り付けた状態を示した流し台の断面側面図
【図１０】本発明の第二実施形態における浄水ユニットの内部を示した斜視図、
【図１１】電解ユニット内部の構造を示した組立図、
【図１２】電解ユニットを操作する操作部の操作表示部を示した図、
【図１３】本発明の第二実施形態における浄水装置の構成を示したブロック図である
【符号の説明】
【００５７】
１…浄水装置
１０…流し台
１１…シンク
１２…天板
１３…収納キャビネット
１７…前面パネル
２０…間隙
３０…水栓
３８…浄水管（接続管）
４０，６０…浄水ユニット
４１…浄水カートリッジ
４２，６１…流入口継手（流入口部）
４３，６２…流出口継手（流出口部）
４４…流路ユニット
４５…容器
４８…浄化剤
７０…電解ユニット
【図１】
2007144363.tif 000003
【図２】
2007144363.tif 000004
【図３】
2007144363.tif 000005
【図５】
2007144363.tif 000006
【図６】
2007144363.tif 000007
【図８】
2007144363.tif 000008
【図９】
2007144363.tif 000009
【図１０】
2007144363.tif 000010
【図１１】
2007144363.tif 000011
【図１２】
2007144363.tif 000012
【図４】
2007144363.tif 000013
【図７】
2007144363.tif 000014
【図１３】
2007144363.tif 000015